(57)【要約】      （修正有）【課題】２面、３面、多面体の可動開閉型マルチウインドーの画面を設けることにより、情報が一度に多面的に表示できるようになる。【解決手段】可動開閉型マルチウインドーを開閉式、スライド式とすることにより、マルチ機能が十分機能できるようにする。マルチ機能が十分発揮できるよう、ウインドーを開いたときに、画面側面が平面的に、合わせ面が分からないようにする。使用していない可動開閉型マルチウインドーなるべく「切」とするプログラムを構築して、使用時の省電源の管理をする。【選択図】図１
2008028969.tif 000002
【特許請求の範囲】
【請求項１】
可動開閉型マルチウインドー型携帯電話は、従来の携帯電話の機能同様に通話、メール、ワンセグ、カメラが使用できることを前提とした上で、従来には見られなかった２面、３面、多面体の可動開閉型マルチウインドーの画面を設けることにより、情報が一度に多面的に表示でき、プログラムにより多様な情報伝達・情報処理の構築が可能な携帯電話である。
【発明の詳細な説明】
【技術分野】
【０００１】本発明は携帯電話に可動開閉型マルチウインドー（画面を２面、３面、多面体）を設けることにより、閉じれば従来と同じように持ち運べ、開けば多様な情報が一度に多面で表示でき、プログラムによりいろいろなパターンが構築できるものである。【０００２】可動開閉型マルチウインドー型携帯電話は、従来の携帯電話の機能同様に通話、メール、ワンセグ受信、カメラが使用できる。【０００３】可動開閉型マルチウインドーは情報量が多いメールや、参考としたい情報のクロス表示が可能である。ワンセグでテレビを見ている際に、メールを受信した場合に１面は待ち受け画面、他の面はテレビ画面を表示できる。また、複数の画面を利用することで、視覚障害者が文字や映像を大きく表示して見ることができる。
【背景技術】
【０００４】  現在の携帯電話の画面表示部は限られた小さな面積である。全ての情報を１つの画面で切り替えて見るこしかできない。現在の２画面式（特開閉１０−３４１２９０や特開閉１０−１８０９６４）と違い、平面で可動開閉型マルチウインドー化したものである。可動開閉型マルチウインドーにすることにより、情報が一度に多面で表示でき、プログラムによりいろんなパターンが構築できる。
【発明の開示】
【発明が解決しようとする課題】
【０００５】マルチウインドーを従来の携帯電話のサイズを変えないで、いかにコンパクトに収納できるか。複数の多面ウインドーでテレビとメール、その他の情報処理を同時に実現できるか。【０００６】  可動開閉型マルチウインドーは、例えばワンセグのテレビ画面と情報量が多いメールや参考としたい情報を同時にクロスして表示することができる。テレビなどの情報を見ているとき、電話やメールを受信した場合に１面は待ち受け画面、他の面はテレビなどを表示することができる。可動開閉型マルチウインドーにすることにより、多様な情報を一度にいろんなパターンでプログラムを構築することにより見ることができる。
【課題を解決させるための手段】
【０００７】  可動開閉型マルチウインドーを開閉式、スライド式によることにより、マルチ機能が十分機能できるようにする。
【０００８】  マルチ機能が十分機能できるようプログラムを構築する。
【０００９】  ウインドーを開いたときに、できる限り一体面に合わせる。
【００１０】使用していない可動開閉型マルチウインドーは「切」とし、使用時の消費電力が少なくなるよう管理をする。また、高性能の充電式電池を用いる。
【図面の簡単な説明】
【００１１】
【図１】マルチウインドー２面型
【図２】マルチウインドー２面型
【図３】マルチウインドー３面型
【図４】マルチウインドー２面型・３面型を外側に折り込んだり、スライドさせて閉じた状態。
【図５】マルチウインドー２面型・３面型を完全に折り込んだ状態。
【図６】図５と同様、完全に折り込んだ状態。従来の携帯電話の２画面の場合の図である。
【符号の説明】
【００１２】  １  マルチウインドーＡ
２  マルチウインドーＢ
３  マルチウインドーＣ
４  ２画面マルチウインドーを全開した状態
５  ３画面マルチウインドーを全開した状態
６  マルチウインドーを全部折りたたんだ状態
７  マルチウインドーを開閉する
８  マルチウインドーをスライドさせて開閉する
９  内蔵カメラ
１０  マルチウインドーすべて折りたたんだ状態
１１  アンテナ内蔵型・非内蔵型
１２  ２画面表示液晶
【図１】
2008028969.tif 000003
【図２】
2008028969.tif 000004
【図３】
2008028969.tif 000005
【図４】
2008028969.tif 000006
【図５】
2008028969.tif 000007
【図６】
2008028969.tif 000008
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
可動開閉型マルチウインドー型携帯電話は、携帯電話を図１・図２・図３を折りたたんだとき、図４・図５のように表裏２画面で使用でき、且つ、図１・図２・図３の開いたときに２面、３面、多面体の可動開閉型マルチウインドーで使用できる携帯電話装置。
【手続補正２】
【補正対象書類名】明細書
【補正対象項目名】０００２
【補正方法】変更
【補正の内容】
【０００２】可動開閉型マルチウインドー型携帯電話は、従来の携帯電話の機能同様に通話、メール、ワンセグ（登録商標）、カメラが使用できる。
【手続補正３】
【補正対象書類名】明細書
【補正対象項目名】０００３
【補正方法】変更
【補正の内容】
【０００３】可動開閉型マルチウインドーは情報量が多いメールや、参考としたい情報のクロス表示が可能である。ワンセグ（登録商標）全面テレビ画面を見ている際に、メールを受信した場合は１面は待ち受け画面、他の面はテレビ画面を表示できる。また、複数の画面を利用することで、視覚障害者が文字や映像を大きく表示して見ることができる。
【手続補正４】
【補正対象書類名】明細書
【補正対象項目名】０００６
【補正方法】変更
【補正の内容】
【０００６】  可動開閉型マルチウインドーは、例えばワンセグ（登録商標）全面テレビ画面のの時、情報量が多いメールや参考としたい情報を同時にクロスして表示することができる。テレビなどの情報を見ているとき、電話やメールを受信した場合に１面は待ち受け画面、他の面はテレビなどを表示することができる。可動開閉型マルチウインドーにすることにより、多様な情報を一度にいろんなパターンでプログラムを構築することにより見ることができる。
【手続補正５】
【補正対象書類名】明細書
【補正対象項目名】００１１
【補正方法】変更
【補正の内容】
【００１１】
【図１】  マルチウインドー２面型
【図２】  マルチウインドー２面型
【図３】  マルチウインドー３面型
【図４】  マルチウインドー２面型・３面型を外側に折り込んだり、スライドさせて閉じた状態。
【図５】  マルチウインドー２面型・３面型を完全に折り込んだ状態。
【手続補正７】
【補正対象書類名】図面
【補正対象項目名】全図
【補正方法】変更
【補正の内容】
【図１】
2008028969.tif 000009
【図２】
2008028969.tif 000010
【図３】
2008028969.tif 000011
【図４】
2008028969.tif 000012
【図５】
2008028969.tif 000013
【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
可動開閉型マルチウインドー携帯電話は、ヒンジを介して相互に折り込み可能な操作部と多面ウインドー表示部で構成され、折り込んだときは完全に携帯状態に出来、開いたときは内外ウインドー表示部を並列した多面ウインドー表示部として配置させることが出来、外内ウインドーの表示部の展開を検出して外内ウインドー表示部を多画面表示し内蔵コンピュータ設定モードで動作させることを特徴とする携帯電話装置で、公衆通信回線に無線によって接続され、該公衆通信回線を経由して発信受信を行う無線通信手段と、該無線通信手段に対する制御指令の出力、該無線通信手段を経由して公衆通信回線からデータを入力、または該無線通信手段を経由して公衆通信回線にデータを送出する処理を行う、内蔵コンピュータによって所定の画像を表示し、待機時は内蔵コンピュータにより保持し、受信時には外内ウインドー表示部の展開を検出して外内ウインドー表示全体に電源を供給して表示部を利用した入出力が行われる状態にし、内蔵コンピュータのメニュー及び外部切り替えスイッチ等を介して全ウインドー表示部に出力する操作し、所定の部分にのみ電源を供給して、利用したい入出力が行う事が出来る事を特徴とする携帯型携帯電話装置。
【手続補正２】
【補正対象書類名】明細書
【補正対象項目名】０００４
【補正方法】変更
【補正の内容】
【０００４】  現在販売されている折畳式の携帯電話機２画面（特許第３４０８１５４号）においては、内側に折りこまれた画面と外側に折り込んだ画面が一体となって使用することが出来ない。また、単に２画面（Ｐ２０００−３７３１９５）では全開した状態のみでの使用しか出来ない。